(57)【要約】  【課題】フラクトオリゴ糖やポリフェノールなど人体にとって有用な物質を多く含むヤーコンを、経口摂取ではなく直接皮膚から摂取することにより、ヤーコンの独特の味覚にわずらわされることなく体内に取込む方法を提供する。  【解決手段】パーム油等の石けん素地と各種添加剤の合計が９７．０〜９９．５重量、ヤーコン抽出成分が０．５〜３．０重量％であることを特徴とするヤーコン含有石けんである。  【選択図】なし【特許請求の範囲】
【請求項１】
石けん素地と添加剤が９７．０〜９９．５重量％、ヤーコンの抽出成分が０．５％〜３．０重量％からなるヤーコン含有石けん。
【発明の詳細な説明】
【技術分野】
【０００１】
本発明は、ヤーコン抽出成分を含有する石けんに関する。
【背景技術】
【０００２】
ヤーコンは南米のアンデス山脈地方が原産地のキク科の植物で、その地下部にイモ（塊根）をつける。近年、ヤーコンについての研究が進み、その薬効が注目を浴びつつある。すなわち、ヤーコンの塊根部にはフラクトオリゴ糖やポリフェノールが多く含まれており、生活習慣病、老化やガンなどの抑制と予防に効果があることが明らかにされている。
【０００３】
また、葉や茎は乾燥させて健康茶として飲用され、糖尿病やダイエットに効果があることが確かめられている。
【非特許文献１】月橋輝男、根も葉もあってみになる本、Ｐ．４１〜５２、茨城新聞社出版、２０００
【０００４】
しかし、これらはヤーコンの有効成分を食用または飲用することで体内に摂取し、ヤーコンの薬効効力を利用しようとするものであった。ヤーコンは食用や飲用にするには独特の味覚があり、薬効は認められているものの広く普及しない一つの要因となっている。
【発明の開示】
【発明が解決しようとする課題】
【０００５】
本発明は、ヤーコンの味覚を考慮することがなく、体内に摂取できる手段を提供することを目的とする。
【課題を解決するための手段】
【０００６】
そこで本発明者はヤーコンの有効成分を直接皮膚から摂取する方法について鋭意研究した結果、溶媒により抽出したヤーコンの有効成分を石けんに練り込むことにより目的が達せられることを見出し、本発明に到達した。
【０００７】
すなわち、本発明の要旨とするところは、石けん素地と添加剤が９７．０〜９９．５重量％、ヤーコンの抽出成分が０．５〜３．０重量％からなるヤーコン含有石けんである。
【０００８】
以下、本発明を詳述する。本発明で云う石けん素地とは、通常石けんの主原料として使用される高級脂肪酸で、動物性のものでも植物性のものでも使用できるが、他の添加剤との関係から植物性油脂が好ましい。
【０００９】
本発明で云う添加剤とは、殺菌性や刺激性を有する物質で、人体に対して無害のものである。具体例を挙げると、ヒノキ蒸留水、ヒノキ精油、ヒバ精油などであり、ワカメ海藻エキスなどの他の薬効成分を有するものも添加剤として使用できる。これらの添加剤は１５〜２５重量％の範囲で混合することができるが、用途に応じて混合量は変更できる。
【００１０】
ヤーコンは独自の歯ざわりと味覚があり、食用とするには調理法に工夫が必要であった。また、葉や茎部を乾燥して得られる茶葉では、さらに独特のくせがあり、人によっては飲用に気乗りしないという事態もあった。そこで本発明者はヤーコンの有効成分を直接皮膚から吸収させ、体内に取り込むことができる手段について検討した。直接皮膚から吸収させるためには、有効成分を含むヤーコンの部分を粉末化するだけでは効果的な吸収には不十分である。ヤーコンの有効成分を何らかの溶媒で抽出した方が好ましい。
【００１１】
本発明で使用するヤーコンとは、先にも延べた通り、アンデス原産のキク科の植物で、健康食品として使われているものであるが、本発明ではヤーコンの葉、茎、塊根部の有機溶媒抽出物を使用する。抽出に使用する溶媒としては水や低級アルコール類、好ましくはエチルアルコールが挙げられる。中でも、コストや安全性の面から水とアルコールの混合液が好ましく用いられる。
【００１２】
本発明のヤーコン成分としてヤーコンの葉や茎の乾燥粉末をも使用することができる。ヤーコンの葉や茎にはヤーコンの塊根には含まれない成分、例えば血糖値を下げる作用を持つインシュリン疑似物質が含まれており、これらの成分が皮膚から少量でも吸収されるという期待もあるからである。
【００１３】
また、水やアルコールのような溶媒で抽出した抽出液とすれば、塊根からの抽出物と一緒に石けんに混ぜることができ、より効果のある吸収が期待できるし、塊根と葉や茎を一緒に溶媒で抽出し、その抽出液も使用できる。
【００１４】
以下、石けんの製造工程を簡単に説明する。まず最初にヤーコン抽出液を準備する。ヤーコン成分の抽出にはヤーコンの塊根をスライスしたものが好ましく用いられる。抽出液は水と低級アルコール、例えばエチルアルコールの混合液が用いられ、水とアルコールの混合比は重量比で水３０〜７０％、アルコール７０〜３０％の割合の混合液が好ましく用いられる。抽出はヤーコン塊根を混合液に浸すことで行う。
【００１５】
抽出時間は浸した塊根が腐敗する直前まで長ければ長いほど好ましいが、だいたい常温にて１０日間以上を目安にすればよい。
【００１６】
次いで、石けん素地と添加剤とヤーコン抽出液を混ぜて練り作業を行うのであるが、ヤーコン抽出液はそのまま使用する。ヤーコン抽出液の添加量は製品の石けんとして０．５〜３．０重量％になるように添加する。ヤーコン粉末も同量添加するのが好ましい。
【００１７】
石けん素地は植物性の油脂が好ましく用いられる。中でもパーム油が好ましく用いられる。練り作業は攪拌機で常温にて行うことができる。石けん素地、各種添加剤、ヤーコン抽出液、ヤーコン粉末および水を所定量になるよう混ぜ合わせる。各種添加剤はそれぞれ０．５〜３．０重量％になるように混ぜる。
【００１８】
混練が終わった混合物は圧縮ローラーにかけ、素地の状態を見ながら水分の調整を行い、好ましい素地の状態になったら再度圧縮ローラーにかける。
【００１９】
次いで押出し機を通して型打ちをし、型のチェックを行う。混練工程で素地は発熱するのでチェック後常温になるまで放置しておき、続いて風通しの良い場所にて直射日光を避けて２４時間以上乾燥させる。直射日光には曝さないのが好ましい。
【発明の効果】
【００２０】
本発明のヤーコン含有石けんは、経口することなく皮膚より直接体内に摂取できるので独特の味覚に左右されることなくヤーコンの薬効を取り込むことができ、ヤーコンの持つ薬効が期待できる。
【００２１】
本発明のヤーコン含有石けんを使うことにより、皮膚障害、例えばアレルギー性皮膚炎の症状が改善されたとか、皮膚のシミが無くなったとかの症状改善効果を訴える使用者があり、ヤーコンの何らかの薬効が作用しているものと推定される。
【００２２】
また、本発明のヤーコン含有石けんで頭を洗うことにより、頭髪の生育がよくなったとか、新しく毛髪の生育が見られたとの体験者の話もあり、これもヤーコンの薬効と推定される。この場合、シャンプーの仕方は、次のように行うのが好ましい。一度ヤーコン含有石けんで頭を洗い、水で洗い流した後、再度、ヤーコン含有石けんで洗い、泡立てた状態で３〜５分間そのままの状態で放置し、その後水で洗い流すというシャンプー方法を採用するのが好ましい。泡立てたまま３〜５分間放置することでヤーコン成分が頭皮より吸収される程度が強まり、より薬効が発現されたものと推定される。
【発明を実施するための最良の形態】
【００２３】
以下、本発明を実施例により具体的に説明する。
【実施例】
【００２４】
（実施例１）
植物性石けん素地としてパーム油とパーム核油の混合物を用いた。パーム油とパーム核油の混合比は７５：２５であった。この石けん素地にはNaCl、グリセリンが０．５〜０．７％含まれている。このパーム油混合物５０Ｋｇを調合タンクに入れ、この素地に製品石けん１００ｇ中に下記の含有量になるよう各種添加剤およびヤーコン抽出液、ヤーコン粉末を添加し、常温で十分に混ざるまで練り作業を行った。
パーム油混合物                      ７９〜８１％
ヤーコン抽出液（ヤーコンエキス）    ０．９〜１．１重量％
ヤーコン粉末                        ０．９〜１．１重量％
ヒバ精油                            ０．９〜１．１重量％
トレハロース                        ０．９〜１．１重量％
ＰＥＧ６０００                      ０．２重量％
蒸留水                              １３〜１５重量％
【００２５】
練り作業が終わった素地を切削圧縮ローラーにかけ、素地の状態を見ながら水分を調整し、再度圧縮ローラーにかけた。
【００２６】
次いで、押出し機を通して型打ちをし、型のチェックを行う。
【００２７】
続いて素地の温度が常温になるまで放置し、風通しの良い、直射日光を避けて２４時間以上乾燥させてヤ〜コン石けんを得た。